(57)【要約】  【課題】  不正綴じ込みを防止する機能を有するゼムクリップを提供する。  【解決手段】  平面渦巻き折れ線構造を有し、内側巻き線区間ａｂｃｄと外側巻き線区間ｅｆｇｈと、内側巻き線から外側巻き線へ移行する移行巻き線区間ｄｅとを有し、長手方向の巻き線区間においては、内側巻き線と外側巻き線とが密接して形成されている点は従来型ゼムクリップと同様である。特徴は、従来型ゼムクリップの先端領域に該当する部分の内側巻き線と外側巻き線とが密着して形成されている点と、従来型ゼムクリップの渦巻き折れ線の内から外への巻き方向に見て外側巻き線区間の最外の端点に該当する位置ｈから、移行巻き線区間の外側に所定の間隔Ｈを置いて、平面状渦巻き折れ線形に延長された延長部ｈｉｊｋを有する点である。  【選択図】  図１
2007152934.tif 000002
【特許請求の範囲】
【請求項１】
弾性線材が一平面内に渦巻きを形成しながら丸みを持たせて6回折り曲げられて成る平面状渦巻き折れ線形に形成され、該渦巻き折れ線の巻き方向に見て内側の連続する３つの渦巻き折れ線区間に該当する内側巻き線と、その外側に巻かれた、連続する３つの渦巻き折れ線区間に該当する外側巻き線と、内側巻き線から外側巻き線に移行する移行巻き線区間とを有する平面2重渦巻き線構造を有し、前記平面渦巻き折れ線形の法線方向、すなわち、前記渦巻き折れ線形が形成されている平面に垂直な方向に、前記内側巻き線と前記外側巻き線との間に形成された隙間に、弾性的に書類を綴じ込むゼムクリップにおいて、
前記内側巻き線と前記外側巻き線とは全域に亘って相互に密接して形成され、
前記移行巻き線区間の外側に、前記渦巻き折れ線の巻き方向に見て前記外側巻き線の最外の端点から、前記移行巻き線区間との間に所定の間隔を置いて、前記平面状渦巻き折れ線と同一平面内に、平面状渦巻き折れ線形に延長された延長部を有し、
書類を綴じ込む操作は、前記延長部と前記移行巻き線区間との間に、前記渦巻き折れ線形の法線方向の隙間を形成し、該隙間に書類を差し込む操作と、前記渦巻き折れ線の内側から外側への巻き方向と同一の回転方向に、ゼムクリップを書類に対して回転する操作を含んでいる
ことを特徴とする、不正綴じ込み防止機能付きゼムクリップ。
【請求項２】
前記延長部に書類識別用の識別素子を取り付ける、請求項１に記載の不正綴じ込み防止機能付きゼムクリップ。
【請求項３】
弾性線材が一平面内に渦巻きを形成しながら丸みを持たせて6回折り曲げられて成る平面状渦巻き折れ線形に形成され、該渦巻き折れ線の巻き方向に見て内側の、連続する３つの渦巻き折れ線区間に該当する内側巻き線と、その外側に巻かれた、連続する３つの渦巻き折れ線区間に該当する外側巻き線でなる2重巻き線と、内側巻き線から外側巻き線に移行する移行巻き線区間とを有する平面2重渦巻き線構造を有し、
前記内側巻き線に該当する渦巻き折れ線区間のうちの中央の線分に該当する内側巻き線先端区間と、その外側に巻かれている外側巻き線先端区間との間は相互に間隔を置いて形成され、前記内側巻き線先端区間の両側に連結している２つの巻き線区間のそれぞれと、その外側に巻かれている外側巻き線とは密接して形成されているゼムクリップにおいて、
前記外側巻き線先端区間と内側巻き線先端区間によって区画される先端領域に弾性部材板が取り付けられ、該弾性部材板は、先端領域におけるゼムクリップの部分と、当該部分に対向する書類表面との間の、予想される形状不整合を補償する厚さを有することを特徴とする不正綴じ込み防止機能付きゼムクリップ。
【請求項４】
前記移行巻き線区間の外側に、前記渦巻き折れ線の巻き方向に見て前記外側巻き線の最外の端点から、前記移行巻き線区間との間に所定の間隔を置いて、前記平面状渦巻き折れ線と同一平面内に平面状渦巻き折れ線形に延長された延長部と、
前記延長部に取り付けられた書類識別用の識別素子を有する、
請求項３に記載の不正綴じ込み防止機能付きゼムクリップ。
【発明の詳細な説明】
【技術分野】
【０００１】
本発明は、紙などを挟むために用いられる紙クリップに関し、特にゼムクリップに関する。
【背景技術】
【０００２】
ゼムクリップは、数枚の薄い紙を挟むために用いられる紙クリップである。この紙クリップは、弾性線材を平面渦巻き形に２重に巻いて形成され、複数枚の紙を内巻き区間と外巻き区間との間に挟み、線材のばね力によって紙の両面を弾性的に挟んで保持する。ゼムクリップは構造が平らで簡単であるので、手軽に便利に使用されるけれど、その構造上、多数の紙を恒久的に綴じるのではなく、少数の紙を臨時的に綴じるために使用される。
【０００３】
図１１は、現在市販されている標準的なゼムクリップの平面図である。図に示されているように、ゼムクリップ１ｐは、弾性線材を、一平面内に渦巻き折れ線形に、９０度の角度で6回折り曲げて作られ、書類を差し込む方向に細長い、全体として長方形の輪郭に形成されている。書類の綴じ込み、取り出しを円滑にするために、線材の折り曲げは、右回り（時計方向）または左回り（反時計方向）に丸く滑らかにおこなわれている。また、折り曲げは、線材の向きが、全体として９０度変化するようにおこなわれている。したがって、書類を差し込む方向、すなわち、長手方向（長方形の長辺に平行な方向）の巻き線区間の形状は、直線であるが、横方向、すなわち、長方形の短辺に平行な方向の巻き線区間の形状は緩やかに、外側に凸に湾曲した曲線である。なお、上記の「向きが全体として９０度変わる」とは向きの平均、すなわち、対象とする曲線上の多数の点における接線方向を表す単位ベクトルの平均ベクトル（ベクトル和を点の数で除算した結果、得られるベクトル）の向きが、折り曲げ前の方向に対して９０度変化するという意味である。
【０００４】
以下の記述において、その渦巻き折れ線を構成する各線分を、ゼムクリップ１ｐの渦巻き形状の内から外への巻き方向に見て、順次に、第１、第２、第３、第４、第５、第６および第７線分とし、それぞれの線分に該当する弾性線材の部分を第１、第２、第３、第４、第５、第６および第７線分巻き線とする。また、ゼムクリップの渦巻き方向に見て最内の端点をａ、最外の端点をｈとし、渦巻き折れ線を構成する折り曲げ位置を、内から外への巻き方向に見て、順次にｂ、ｃ、ｄ，ｅ、ｆ、ｇとする。したがって、第１、第２、第３、第４、第５、第６および第７線分巻き線は、それぞれ、巻き線区間ａｂ、ｂｃ、ｃｄ，ｄｅ、ｅｆ、ｆｇ、ｇｈに該当し、内側巻き線は巻き線区間ａｂｃｄに該当し、外側巻き線は巻き線区間ｅｆｇｈに該当する。巻き線区間ｄｅは、内側巻き線から外側巻き線、または外側巻き線から内側巻き線への移行巻き線区間である。このように定義すると、第１線分巻き線ａｂとその外側に密接して巻かれている第５線分巻き線ｅｆは長手方向を向く直線状で、第3線分巻き線ｃｄとその外側に密接して巻かれている第７巻き線線分ｇｈも長手方向を向く直線状である。第２線分巻き線ｂｃ、第４線分巻き線ｄｅ、第６線分巻き線ｆｇは外側に緩やかに湾曲して全体として横方向を向き、第２線分巻き線ｂｃとその外側に巻かれている第6線分巻き線ｆｇは間隔をおいて巻かれていて、後述するように（段落「００１１」参照）挿入部を構成する。第4線分巻き線ｄｅは移行巻き線区間である。
【０００５】
以下の記述において、さらに、ゼムクリップ１ｐを形成する巻き線平面の法線方向、すなわち、渦巻き折れ線の平面に垂線な方向に見て、ゼムクリップの一方の面を第１の面、または、上面とし、他方の面を第２の面または下面とする。ゼムクリップに綴じ込まれた書類についても、ゼムクリップの上面と同じ方向を向く面を第１の面、または、上面とし、他方の面を第２の面または下面とする。また、ゼムクリップの巻き線平面に垂直な方向、および書類の表面に垂直な方向を、それぞれ、ゼムクリップの上下方向、書類の上下方向とする。さらに、第２線分巻き線ｂｃを内側巻き線の先端区間と名付け、第６線分巻き線ｆｇを外側巻き線の先端区間と名付ける。書類は、ゼムクリップの外側巻き線の先端区間から挿入され、内側巻き線と外側巻き線によって上下方向から弾性的に挟まれながらゼムクリップ１ｐ中に差し込まれる。
【０００６】
従来のゼムクリップ１ｐの第１の特徴は、前掲のように平面渦巻き折れ線の形状をもつ弾性線材によって構成されていることである。この特徴によってクリップそのものは薄く平坦な形状を保ちながら弾性的に書類を保持することができる。
【０００７】
従来のゼムクリップ１ｐの第２の特徴は、内側巻き線の先端区間ｂｃと外側巻き線の先端区間ｆｇとが間隔をおいて（通常、５ｍｍ程度離して）形成されていることである。図１２および図１３を参照して後述するように、この特徴によって、書類は極めて容易にゼムクリップ中に差し込むことができる。
【０００８】
ゼムクリップの第3の特徴は、内側巻き線に属する第１線分巻き線ａｂと、その外側にある、外側巻き線に属する第5線分巻き線ｅｆとを接近させ、かつ、長く形成し、内側巻き線に属する第３線分巻き線ｃｄと、その外側にある、外側巻き線に属する第７線分巻き線ｇｈとを接近させ、かつ、長く形成していることである。書類は外側巻き線の先端区間から内側巻き線の先端区間を経てゼムクリップ中に差し込まれ、第１線分巻き線ａｂと第5線分巻き線ｅｆとによって成る1対の線分巻き線によって、および第3線分巻き線ｃｄと第7線分巻き線ｇｈとによって成る1対の巻き線区間によって上下方向から挟まれて保持される。このとき、第１線分巻き線ａｂと第5線分巻き線ｅｆとは接近して形成されているので、書類は、ほぼ上下方向からこれらの巻き線区間によって弾性的に挟み締めされて保持される。同様に、書類は、第3線分巻き線ｃｄと第7線分巻き線ｇｈとによってほぼ上下方向から弾性的に挟み締めされて保持される。しかも、これら2対の巻き線区間はいずれも長く形成されているので、書類はこれら2対の巻き線区間によって2個所で長い区間に亘ってほぼ上下から弾性的に挟み締めされて保持される。この第３の特徴によって、ゼムクリップは、その簡単な構造にも関わらず、書類の保持を確実にすることができる。
以下の記述において、第１線分巻き線ａｂと第5線分巻き線ｅｆとによって成る1対の巻き線区間を第１のクリップ部Ｓ１と記し、第3線分巻き線ｃｄと第7線分巻き線ｇｈとによって成る1対の巻き線区間を第２のクリップ部Ｓ２と記す。
【０００９】
図１２は従来型ゼムクリップへの書類の差し込みの初期を説明する平面図、図１３は、このゼムクリップへ書類が完全に差し込まれて保持されている状態を説明する平面図である。これらの図においては、説明の都合上、書類２は、ゼムクリップに対して相対的に小さく、単に象徴的に描かれている。また、外側巻き線の先端区間および内側巻き線の先端区間の近傍のゼムクリップの部分は誇張して描かれている。図１２，図１３においては、書類２の上面側にあるゼムクリップ部分は実線で、書類２の下面側にあるゼムクリップ部分は点線で描かれている。
【００１０】
図１２において、内側巻き線の先端区間ｂｃと外側巻き線の先端区間ｆｇとの間隔をＧとし、内側巻き線の先端区間ｂｃと外側巻き線の先端区間ｆｇとによって限定されるゼムクリップ平面内の区域を平面Ｆとする。書類２を差し込むときには、平面Ｆに該当するゼムクリップ領域の下面側に書類１の上面を当てて外側巻き線を上方に押して外側巻き線と内側巻き線との間に上下方向の隙間を作り、または、平面Ｆに該当するゼムクリップの上面側に書類１の下面を当てて外側巻き線を下方に押して外側巻き線と内側巻き線との間に上下方向の隙間を作りながら、その隙間中に、図１２の矢印Ｔの方向、すなわち、長手方向へ書類２を差し込む。図１２は、外側巻き線が書類の上面に当接し内側巻き線が書類の下面に当接するように書類２がゼムクリップ中に差し込まれ、書類２の前縁部の下面が内側巻き線の先端区間に当接した、書類の差し込み初期の状態を示している。
【００１１】
書面２はさらに移行巻き線区間ｄｅまで挿入され、ここで書類２の差し込みは終了する。このとき、書類２は、第１のクリップ部Ｓ１と、第２のクリップ部Ｓ２との2個所で上下から弾性的に挟み込まれ保持される。図１３はこのときの状態を示している。以上の操作は、このように文章で記述すると面倒な操作のように読まれるけれど、我々が従来型ゼムクリップに書類を差し込むときに日常的に行っている簡単な操作である。以下の記述で平面Ｆを挿入部Ｆと記す。
【００１２】
次に、本発明に関係がある従来技術として特許文献１に記載されている考案がある。
この考案はリボン付きゼムクリップの考案で、書類の識別や分類に便利なように、従来のゼムクリップの移行巻き線区間に色リボンを付けている。
【特許文献１】実開平６−５３１７９号公報
【発明の開示】
【発明が解決しようとする課題】
【００１３】
前掲のように、ゼムクリップは、クリップ部Ｓ１およびクリップ部Ｓ２によって２個所で書類２を上下から挟み込む。しかし、挿入部Ｆの領域においては、内側巻き線ｂｃと外側巻き線ｆｇとが間隔Ｇを置いて離れているので、これらの巻き線が上下から弾性的に書類を挟み込むことはできない。したがって、挿入部Ｆに該当するゼムクリップの部分は、書類を上下から挟み込む機能を備えてはいない。しかし、挿入部Ｆは、書類をゼムクリップ中に差し込むときに内側巻き線と外側巻き線とを相対的に上下方向に押し離して書類を差し込むための隙間を作るために必要な構成要素である。もし、挿入部Ｆが非常に小さいならば、すなわち、もし、内側巻き線の先端区間と外側巻き線の先端区間との間の間隔Ｇが非常に小さければ、書類をゼムクリップ中に差し込むときに内側巻き線の先端区間と外側巻き線の先端区間との間に上下方向の間隙を作ることが困難になる。
【００１４】
このように、挿入部Ｆは、ゼムクリップへの書類の差し込みを援助する構成要素であるが、逆に、必要な書類の挿入が終了した後にも挿入部Ｆが書類の片面側に面して存在していると、ゼムクリップが必要な書類をクリップした後に、さらに別の無用な書類を不必要に差し込むことを援助するように働くという問題を生じる。
【００１５】
図１４は従来型ゼムクリップに無用な書類が挟み込まれている状態の一例を示す説明図である。
ゼムクリップ１ｐに書類２が綴じ込まれたとき、クリップ部Ｓ１およびＳ２においては、書類１は上下から弾性的に挟み込まれるので、クリップ部Ｓ１とクリップ部Ｓ２との間にある書類２の領域Ｈは、クリップ１ｐとの間に隙間を作らないで平坦に保持される。しかし、挿入部Ｆに対面している書類２の領域は、その上面が、挿入部Ｆの輪郭をつくる外側巻き線によって押さえられているけれど、その下面は、書類２の下にある他の物体、たとえば、机または他の書類等によって支持される。そのとき、書類２は、当該机または他の書類等によって単に支持されているのみで、「弾性的」に外側巻き線側に押圧されるのではないので、書類に比べて剛性のゼムクリップ１ｐの外側巻き線の先端区間と、柔軟な書類２の上面とが形状的に整合せず、その結果、両者が密着しない場合が生じる。また密着していても、書類２の上面が他の書類によって下方に押されてゼムクリップ１ｐと書類２との間に隙間が生じることがある。そのようなときに、その隙間に無用な書類が綴じ込まれる可能性が生じる。
【００１６】
図１４には、書類２が、挿入部Ｆの下の位置で、点線で表されている正常な位置１２から僅かに下がり、その結果、ゼムクリップ１ｐの先端領域（挿入部）と書類２との間に隙間が生じ、その隙間に無用な書類２２が挟み込まれた様子が示されている。このように、ゼムクリップ１ｐに無用な書類の一端が差し込まれることは、我々が日常的に経験する問題点である。以下の記述において、ゼムクリップに無用な書類の一部または全部が綴じ込まれることを、不正綴じ込みと記す。
【００１７】
次に、特許文献１に記載されている考案の問題点は、内側巻き線と外側巻き線との間の移行部である移行巻き線区間にリボン等の識別素子を取り付ける点である。識別素子を取り付けるとき、識別素子がリボン状である場合には、リボン状素子を移行巻き線区間に結びつけ、識別素子が板状の場合には、板状素子を接着剤等で移行巻き線区間に固定しなければならない。その結果、移行巻き線区間に不規則な瘤状の結び目が生じたり、当該巻き線区間に剛性の識別素子が固着されたために移行巻き線区間が弾性部材として動作することができなることがある。
書類をゼムクリップに綴じるときには、内側巻き線と外側巻き線の間に弾性的に書類を保持するので、内側巻き線と外側巻き線とをつなぐ媒体である移行巻き線区間に付加的な部材を取り付けて弾性部材としての動作が阻害されると、書類の保持力が影響を受けることになる。また、書類の差し込み前縁が上記の瘤状結び目に乗り上げると内側巻き線と外側巻き線とが相対的に浮き上がって、ゼムクリップの書類を保持する力が低下する。そのうえ、識別素子が外部の力で引っ張られると内側巻き線と外側巻き線とが相対的に浮き上がる。したがって、書類の保持に直接的に関与する移行巻き線区間に識別素子を取り付けることは望ましいことではない。
【００１８】
本発明の第１の目的は、不正綴じ込みを防止する機能を有するゼムクリップを提供することにある。本発明の第２の目的は、不正綴じ込みを防止する機能を有し、かつ、書類識別用の識別素子を有するゼムクリップを提供することにある。
【課題を解決するための手段】
【００１９】
ここで、本明細書に使用される用語について説明をする。
まず、前掲の「全体として長方形の輪郭」という用語について説明する。
数学的には、長方形とは、「4つの角がすべて等しい4角形」である。したがって、向かい合う2辺は等しくなる。そして「辺」とは、「角と角とを結ぶ線分」である。
数学的には、「線分」は「両端をもつ直線」と定義されるが、本書においては、「両端をもち、接線方向の平均（対象とする曲線上の多数の点における接線方向を表す単位ベクトルの平均ベクトルの方向）が所定方向を向く曲線」と定義する。すなわち、段落「０００３」で定義されている「全体として」という用語を使用するならば、「線分」とは「両端をもち、全体として所定方向を向く曲線」と定義することができる。したがって、数学的に定義される「両端をもつ直線」も本書で定義する線分の範囲に含まれる。線分を上記のように定義するならば、長方形の「辺」は、必ずしも数学的な直線であるとは限らない。市販されている標準的なゼムクリップの湾曲した巻き線区間は、直線の巻き線区間に対して「全体として」９０度の角度をなす「線分」であり、したがって、その輪郭は長方形の定義範囲に含まれる。前掲の「全体として長方形の輪郭」とは、「辺」の定義が上記のように拡張された長方形のことである。
つぎに、渦巻き折れ線の定義も同様に拡張される。数学的には、「折れ線」とは「複数の線分をその端点で連結して成る曲線」と定義されている。したがって、市販されている標準的なゼムクリップは、湾曲した巻き線区間を含んでいるので、数学的に定義された渦巻き折れ線ではないが、「線分」を前掲のように拡張して定義すると、その形状を渦巻き折れ線と表現することができる。
【００２０】
「段落００１８」に記載した本発明の目的を達成するために、本発明の第１の不正綴じ込み防止機能付きゼムクリップは、弾性線材が一平面内に渦巻きを形成しながら丸みを持たせて6回折り曲げられて成る平面状渦巻き折れ線形に形成され、該渦巻き折れ線の巻き方向に見て内側の連続する３つの渦巻き折れ線区間に該当する内側巻き線と、その外側に巻かれた、連続する３つの渦巻き折れ線区間に該当する外側巻き線と、内側巻き線から外側巻き線（または、外側巻き線から内側巻き線）に移行する移行巻き線区間とを有する平面2重渦巻き線構造を有し、前記平面渦巻き折れ線形の法線方向、すなわち、前記渦巻き折れ線形が形成されている平面に垂直な方向に、前記内側巻き線と前記外側巻き線との間に形成された隙間に、弾性的に書類を綴じ込むゼムクリップであって、内側巻き線と外側巻き線とは全域に亘って相互に密着して形成され、移行巻き線区間の外側に、前記渦巻き折れ線の巻き方向に見て前記外側巻き線の最外の端点から、前記移行巻き線区間との間に所定の間隔を置いて、前記平面状渦巻き折れ線と同一平面内に、平面状渦巻き折れ線形に延長された延長部を有する。
書類を綴じ込む操作は、前記延長部と前記移行巻き線区間との間に、前記渦巻き折れ線形の法線方向の隙間を形成し、該隙間に書類を差し込む操作と、前記渦巻き折れ線の内側から外側への巻き方向と同一の回転方向に、ゼムクリップを書類に対して回転する操作を含んでいる。以下、渦巻き折れ線平面の法線方向の隙間を法線方向隙間と記す。
【００２１】
本発明の第１の不正綴じ込み防止機能付きゼムクリップは、平面状渦巻き折れ線形に形成され、内側巻き線と、その外側に巻かれた外側巻き線とを備えていて内側巻き線と、外側巻き線との間の法線方向隙間に書類を綴じ込むという意味で、従来型ゼムクリップと同様の基本構造を含んでいる。したがって、クリップそのものの形状が平坦であるという従来のゼムクリップの長所を、本発明のゼムクリップも備えている。
しかし、従来のゼムクリップと異なる本発明の特徴は、（１）内側巻き線と外側巻き線とは全域に亘って密着して形成されている点、すなわち、従来型ゼムクリップの挿入部Ｆに該当する部分においても内側巻き線と外側巻き線とが密着して形成されている点と、（２）移行巻き線区間の外側に、移行巻き線区間との間に所定の間隔を置いて、渦巻き折れ線の内から外への巻き方向に見て外側巻き線の最外の端点から平面状渦巻き折れ線形に延長された延長部を有する点である。
【００２２】
特徴（１）によって、内側巻き線と外側巻き線との全域に亘って、書類はその上下方向の両側から内側巻き線と外側巻き線とによって弾性的に挟み込まれる。その結果、不要な書類が不正に綴じ込まれることが防止される。
このように、特徴１の構成によって、不必要な書類の綴じ込みは排除されるけれど、必要な書類の差し込み操作が困難になる。その困難は、特徴２によって克服される。特徴２の延長部によって、ゼムクリップの後端側（延長部側）から書類を挟みこむことが可能になる。すなわち、書類の差し込みは、延長部と移行巻き線区間との間に、法線方向隙間を形成し、その隙間に書類を差し込む操作と、前記渦巻き折れ線の内から外への巻き方向と同一の回転方向に、ゼムクリップを書類に対して１８０度回転する操作を含む操作によって行うことができる。
【００２３】
延長部それ自体は、書類をゼムクリップに差し込むときに必要な構成要素ではあるが、書類の綴じ込み後の書類の保持には寄与しない。しかし、本発明の一態様として、延長部に書類識別用の識別素子を取り付けることができる。それによって書類を綴じ込んだ後の書類の識別に役立てることができる。本実施態様においては、識別素子は、書類の保持には関与しない延長部に取り付けられるので、特許文献１に記載されている考案の問題点は解決される。
【００２４】
本発明の第２の不正綴じ込み防止機能付きゼムクリップは、従来型ゼムクリップと同一の平面渦巻き形状の弾性部材で成り、従来型ゼムクリップの挿入部、すなわち、外側巻き線の先端区間と内側巻き線の先端区間によって区画されるゼムクリップの先端領域に弾性部材板が取り付けられ、該弾性部材板は、挿入部におけるゼムクリップの巻き線部分と、当該挿入部に対向する書類表面との間の、予想される形状の不整合を補償する厚さを有する。
【００２５】
本発明の第２の不正綴じ込み防止機能付きゼムクリップの平面渦巻き折れ線形状は、従来型ゼムクリップと同一である。したがって、ゼムクリップの挿入部から容易に書類を差し込むことができる。さらに、挿入部における、ゼムクリップと書面の表面との間の形状の不整合に起因して不要の書類の不正綴じ込みを許すという問題（段落「００１５」参照）は、挿入部に取り付けられた弾性部材板によって解決される。
【００２６】
本発明の第２の不正綴じ込み防止機能付きゼムクリップの一実施態様として、移行巻き線区間の外側に、渦巻き折れ線の巻き方向に見て外側巻き線の最外の端点から移行巻き線区間との間に所定の間隔を置いて、平面状渦巻き折れ線と同一平面内に平面状渦巻き折れ線形に延長された延長部と、該延長部に取り付けられた書類識別用の識別素子を有することができる。このように、延長部に書類の識別素子を取り付けることによって、ゼムクリップの書類保持力を損なうことなく識別素子を取り付けることができる。
【発明の効果】
【００２７】
本発明の第１の不正綴じ込み防止機能付きゼムクリップは、内側巻き線と外側巻き線を、それらの全域に亘って接近して形成することによって、書類を上下から弾性的に挟み込んで不要な書類の不正な綴じ込みを防止することができる。また、それと共に、外側巻き線を平面渦巻き折れ線形に延長して、移行巻き線区間の外側に移行巻き線区間から間隔をおいて渦巻き折れ線を形成して成る延長部を設けることによって、ゼムクリップの後端から書類を挿入することができる。
また、延長部に書類の識別素子を取り付けることによって、ゼムクリップの書類保持力を損なうことなくゼムクリップに識別素子を取り付けることができる。
【００２８】
本発明の第２の不正綴じ込み防止機能付きゼムクリップは、従来型のゼムクリップの挿入部に弾性部材板を取り付け、該弾性部材板によって挿入部（外側巻き線の先端区間）と書類面との間に生じ得る形状不整合を補償することができる。このようにして、従来型ゼムクリップの長所を損なうことなく、不正綴じ込みを防止することができる。
また、延長部に書類の識別素子を取り付けることによって、ゼムクリップの書類保持力を損なうことなく識別素子を取り付けることができる。
【発明を実施するための最良の形態】
【００２９】
本発明は、不正綴じ込みを防止する２つの方法を開示している。第１の方法は、内側巻き線と外側巻き線とをそれらの全域に亘って接近して形成して書類を上下から弾性的に挟み込んで不要な書類の不正綴じ込みを防止する方法である。第２の方法は、従来型のゼムクリップの挿入部と書類との間に隙間を作らないように、外巻き線の先端区間に柔軟な弾性部材を貼り付ける方法である。以下、第１の方法の実施例は、実施例１、実施例２に記し、第２の方法の実施例は実施例３、実施例４に記す。
【実施例１】
【００３０】
図１は、実施例１のゼムクリップ１の基本的構造を示す平面図である。
本実施例のゼムクリップは、弾性線材を、一平面内に渦巻き折れ線形に、直角に滑らかに折り曲げられた形状を有することは従来の標準的なゼムクリップと同様である。したがって、以下の記述においても、その渦巻き折れ線を構成する線分を、ゼムクリップの内側から外側に順次に、第１、第２、第３、第４、・・・第ｎ線分のように整数番号で表し、それぞれの線分に該当する弾性線材の部分を線分の番号に対応させて第１、第２、第３、第４、・・・第ｎ線分巻き線と表す。また、ゼムクリップ１の渦巻き折れ線の巻き方向に見て最内の端点をａとし、渦巻き折れ線を構成する折り曲げ位置を、内側から順次にｂ、ｃ、ｄ，ｅ、ｆ、ｇのようにアルファベットの順に表す。
【００３１】
後述するように、本実施例においては延長部が設けられているので、ゼムクリップ１の巻き方向に見て最外の端点はｈではないが、従来のゼムクリップの最外の端点ｈに該当する位置をｈと記す。したがって、第１、第２、第３、第４、第５、第６、第7線分巻き線は、それぞれ、巻き線区間ａｂ、ｂｃ、ｃｄ，ｄｅ、ｅｆ、ｆｇ、ｇｈに該当し、内側巻き線は巻き線区間ａｂｃｄに該当し、外側巻き線は巻き線区間ｅｆｇｈに該当する。
【００３２】
本実施例のゼムクリップ１は、従来型ゼムクリップ１ｐと異なる次の2つの構成を有する。第１の構成は、本実施例のゼムクリップ１の先端領域は、内側巻き線の先端区間ｂｃと外側巻き線の先端区間ｆｇとが近接して形成されていることである。この構成によって、書類がゼムクリップに綴じ込まれたとき、書類は、ゼムクリップ１の先端領域においても上下から弾性的に挟み込まれた状態で保持される。その結果、ゼムクリップの先端領域から無用な書類が不正に綴じ込まれることを防止することができる。
しかし、この構成によると、書類を綴じ込むために、ゼムクリップの外側巻き線を法線方向に押圧して、内側巻き線と外側巻き線との間に上下方向の隙間（法線方向間隙）を作ることが困難になることは前述の通りである。
【００３３】
この困難は、次に記載する第２の構成によって解消される。
第２の構成は、従来のゼムクリップ１ｐの最外の端点に該当する位置ｈから延長されて成る延長部ｈｉｊｋを備えていることである。この延長部は、移行巻き線区間ｄｅの外側に間隔Ｈを置いて平面渦巻き折れ線形に形成されている。間隔Ｈの大きさは、図１２の間隔Ｇと同程度である。したがって、移行巻き線区間ｄｅと延長部ｈｉｊｋとによって区画される面Ａの面積は、図１２の挿入部Ｆの面積とほぼ同等である。以下、面Ａを後部挿入部Ａと記す。
【００３４】
従来型のゼムクリップ１ｐに書類を綴じ込むときには、前述したように、ゼムクリップの先端領域に該当する挿入部Ｆに書類を当てて外側巻き線の先端区間を上下方向に押して外側巻き線と内側巻き線との間に法線方向隙間を作り、その隙間に書類を差し込む。本実施例のゼムクリップ１に書類を綴じ込むときには、後部挿入部Ａに書類を当てて延長部を上下方向に押圧して移行巻き線区間ｄｅとの間に法線方向隙間を作り、その隙間に書類を差し込んだ後、書類に対してゼムクリップを１８０度回転する。
【００３５】
図２，図３、図４、図５および図６は、本実施例のゼムクリップに書類を綴じ込む操作を示している。
図２は、本実施例のゼムクリップの後部挿入部Ａの下面に書類２の上面を当ててゼムクリップの延長部を、移行巻き線区間ｄｅに対して法線方向上方に押圧し、延長部と移行巻き線区間ｄｅとの間に法線方向隙間を作り、その隙間に書類２を挿入した状態を示している。図中、点線は書類２の下面側にあることを示している。すなわち、この段階では、延長部が書類２の上面側にあり、移行巻き線区間ｄｅは書類２の下面側にある。次に、書類２を矢印の方向に差し込む。
【００３６】
図３は書類２を後部挿入部Ａ側からゼムクリップの長手方向のほぼ中央部まで差し込んだ状態を示している。この段階では、図中、楕円形領域Ｒ１内のゼムクリップの部分が書類を上下から弾性的に挟み込んでいる（相互に接近して形成された外側巻き線と内側巻き線が、それぞれ、書類２の上面側および下面側にある（接近した実線と点線で表されている））。このように、書類を上下から弾性的に挟み込んでいるゼムクリップの部分を、以下の記述でクリップ領域と記す。
【００３７】
次に、ゼムクリップをそのほぼ中央位置の周りに、書類２に対して図３の矢印の方向、すなわち、ゼムクリップの渦巻き折れ線形の、内側から外側に向かう巻き方向（図では、時計方向）に回転すると、クリップ領域はＲ１からＲ２に延長される。図４は、ゼムクリップを矢印の方向に９０度回転した状態を示している。この状態においては、クリップ領域は、楕円形領域Ｒ２よりも、さらに、ゼムクリップの先端領域Ｒ３にまで延長されている。
【００３８】
さらに、ゼムクリップを矢印の方向に９０度回転すると、図５に示されているように、書類はゼムクリップの先端領域を含む外側巻き線と内側巻き線との間に綴じ込まれる。この状態から、さらにゼムクリップを、書類に対して図５の矢印の方向に移動させると、図６のように、書類は完全に綴じ込まれる。本実施例のゼムクリップは、書類が綴じ込まれたとき、書類の上面と下面に接触する総ての内側巻き線と外側巻き線が上下から書類を弾性的に挟み込むので無用の書類が不正に綴じ込まれることが防止される。
【００３９】
以上の、図３ないし図５に示されている本実施例のゼムクリップの操作において、書類に対してゼムクリップを回転する操作と平行移動する操作とを分離して説明したが、これらの操作を同時に行うことができるのは勿論である。
また、本実施例においては、延長部に該当する巻き線区間は、折り曲げ点ｉおよびｊの２個所で折り曲げられているが、折り曲げ点はｉのみでもよい。しかし、２個所ｉ、ｊで渦巻き形に折り曲げられた延長部を備えたゼムクリップの方が、図２に示されている書類の挿入初期時には、書類上におけるゼムクリップの座りが安定する。その意味で、本実施例のゼムクリップのように、２個所で渦巻き形に折り曲げられた延長部を備えることが望ましい。
【実施例２】
【００４０】
次に、図７を参照して実施例２を説明する。本実施例は実施例１のゼムクリップの一実施態様である。
図７は、本実施例のゼムクリップが書類２を綴じ込んだ状態を示す平面図である。実施例１の図面と同様に、ゼムクリップの点線部分は、書類２の下面に接しているゼムクリップ部分であり、実線部分は、書類２の上面に接しているゼムクリップ部分である。
【００４１】
本実施例のゼムクリップが実施例１のそれと異なる点は、書類識別用の識別素子３を延長部に設けた点である。識別素子３は平板に形成され、ゼムクリップの平面渦巻き折れ線と同一平面内において延長部に固定されることができる。識別子は、ユーザが書類に対応させて定めた識別子に対応するように表示される。例えば、ユーザが書類を書類番号に対応させている場合には、識別子は多進数や、自然数に対応する図形、たとえば、十干十二支、星座で表すことができる。
【００４２】
図７には、２デジットに対応して２つに区画された識別素子３が示されている。各区画を白、黒の２色で表示すれば２デジット２進数を表し、０、１、２、３に対応する書類を識別することができる。各区画をレッド、グリーン、ブルーで表示すれば２デジット３進数を表し、３２個の書類を識別することができる。また、同図に示されている犬の図形３ａで、十干十二支に対応して１２個の書類のうちの１１番目の書類、または、書類番号に関係なくユーザが犬の図形に対応させた書類を識別することができる。このように、識別素子を取り付けると書類の識別が容易になるばかりでなく、図２ないし図６を参照して説明した書類の綴じ込み操作が容易になるという利点がある。
【実施例３】
【００４３】
次に、図面を参照して実施例３を説明する。
図８は、実施例３のゼムクリップの平面図である。
前掲の実施例１および実施例２においては、ゼムクリップは、書類の上面および下面に接するゼムクリップの総ての巻き線区間において、書類を上下から弾性的に挟み込むように構成されている。その結果、ゼムクリップと書類との間に無用な書類が不正に挟み込まれる隙間が生じることはないが、ゼムクリップの先端から書類を綴じ込むことができなくなるので、書類をゼムクリップの後端から綴じ込むための延長部が設けられている。
これとは、対照的に本実施例においては、ゼムクリップ本体の形状は図１１に示されている従来型のゼムクリップ１ｐと同一であるが、挿入部Ｆに該当するゼムクリップの部分の少なくとも片面に弾性部材板４、たとえばゴム板またはエラストマー板が貼り付けられている。この弾性部材４は、書類を綴じ込んだときにゼムクリップの外側巻き線の先端区間と、その先端区間に当接する書類の面との間の形状の不整合を弾性的に補償するように厚さが定められている。通常のゴム板またはエラストマー板を使用する場合には、約０．５ｍｍ程度でよい。
【００４４】
図９は、本実施例のゼムクリップに書類を綴じ込んだ状態を示す斜視図である。本実施例においては、ゼムクリップは、その外側巻き線の下面が書類の上面に当接し、内側巻き線の上面が書面の下面に当接するように、書類を挟んでいる。したがって、この場合には、外側巻き線の下面に取り付けられた弾性部材板４ａが、書類の上面と外側巻き線の下面との間の形状の不整合を補償する。図９は、書類２が、ゼムクリップの挿入部の下から下方に湾曲し、その湾曲によってゼムクリップの下面との間に生じた形状の不整合（隙間）を弾性部材板４ａが補償している（埋め合わせている）状態を示している。図中、点線部分１２は、書面２が下方に湾曲しなかった場合の書類の位置を示している。
【００４５】
逆に、ゼムクリップの外側巻き線の上面が書類の下面に当接し、内側巻き線の下面が書面の上面に当接するように書類を挟む（図９の内側巻き線が実線になり、外側巻き線の実線が点線になる）場合には、弾性部材板４ｂを外側巻き線の上面に取り付けることによって、書類の下面と外側巻き線の上面との間の形状の不整合が補償される。
【００４６】
書類をゼムクリップに綴じ込む場合には、外側巻き線の下面を書類の上面に当接させる場合と、外側巻き線の上面を書類の下面に当接させる場合とがある。したがって、外側巻き線の上面側と下面側との両側に弾性部材板４ａ、４ｂを取り付けることが望ましい。
【実施例４】
【００４７】
次に、図面を参照して実施例４を説明する。
図１０は、実施例４のゼムクリップを示す平面図である。
本実施例のゼムクリップ６は、ゼムクリップの構造としては実施例３のゼムクリップ５と同一であるが、書類を識別するための識別素子３ａを取り付ける延長部ｈｍを設けた例である。延長部ｈｍの形状は、実施例１、実施例２の延長部と同様に、ゼムクリップの平面渦巻き折れ線の巻き方向に見て、最外の端点ｈから平面渦巻き折れ線形に延長される。なお、本実施例のゼムクリップ６は、その挿入部側（弾性部材板４が取り付けられている側）から書類が差し込まれるので、本実施例の延長部ｈｍは、書類の差し込みとは無関係で、識別素子取り付け専用である。識別素子３ａは、実施例２と同様にゼムクリップと同一平面内に取り付けられる。
【００４８】
上記の実施例は全体として長方形のゼムクリップに本発明を適用した実施例であるが、変形ゼムクリップ、例えば、先端領域の幅が狭い台形型のゼムクリップに本発明を適用することも可能である。
【産業上の利用可能性】
【００４９】
本発明の不正綴じ込み防止機能付きゼムクリップは、従来のゼムクリップと同様に文房具用紙クリップとして使用することができる。
【図面の簡単な説明】
【００５０】
【図１】本発明の実施例１のゼムクリップの基本的構造を示す平面図である。
【図２】実施例１のゼムクリップの後部挿入部Ａの下面に書類２の上面を当てて書類を挿入した初期の状態を示す図である。
【図３】書類を後部挿入部Ａ側からゼムクリップの長手方向のほぼ中央部まで差し込んだ状態を示す図である。
【図４】ゼムクリップを矢印の方向に９０度回転した状態を示す図である。
【図５】ゼムクリップを矢印の方向にさらに９０度回転した状態を示す図である。
【図６】書類が完全に綴じ込まれた状態を示す図である。
【図７】実施例２のゼムクリップが書類を綴じ込んだ状態を示す平面図である。
【図８】実施例３のゼムクリップの平面図である。
【図９】実施例３のゼムクリップに書類を綴じ込んだ状態を示す斜視図である。
【図１０】実施例４のゼムクリップの平面図である。
【図１１】現在市販されている従来型ゼムクリップの平面図である。
【図１２】従来型ゼムクリップへの書類の差し込みの初期を説明する平面図である。
【図１３】図１１のゼムクリップへ書類が完全に差し込まれて保持されている状態を説明する平面図である
【図１４】従来型ゼムクリップに無用な書類が挟み込まれている状態を示す説明図である。
【符号の説明】
【００５１】
１、１ｐ、５、６  ゼムクリップ
２  書類
３、３ａ  識別素子
４、４ａ、４ｂ  弾性部材板
１２  下方に湾曲しなかった場合の書類の位置
２２  不正に綴じ込まれた書類
Ｆ  挿入部
Ａ  後部挿入部
Ｇ  従来型ゼムクリップの内側巻き線の先端区間と外側巻き線の先端区間との間の距離
Ｈ  延長部と移行巻き線区間との間の距離
Ｓ１、Ｓ２  クリップ部
Ｒ１、Ｒ２、Ｒ３  書類を上下から弾性的に挟み込んでいるゼムクリップの部分
【図１】
2007152934.tif 000003
【図２】
2007152934.tif 000004
【図３】
2007152934.tif 000005
【図４】
2007152934.tif 000006
【図５】
2007152934.tif 000007
【図６】
2007152934.tif 000008
【図７】
2007152934.tif 000009
【図８】
2007152934.tif 000010
【図９】
2007152934.tif 000011
【図１０】
2007152934.tif 000012
【図１１】
2007152934.tif 000013
【図１２】
2007152934.tif 000014
【図１３】
2007152934.tif 000015
【図１４】
2007152934.tif 000016